(57)【要約】【課題】本発明は除湿装置に関するもので、除湿能力の低下を抑制することができるものである。【解決手段】そしてこの目的を達成するために本発明は、本体ケース３内に冷凍サイクル４を備え、吸気口１から本体ケース３内に吸気した空気を放熱器６、吸熱器８、排気口２へと送風する送風手段９を設け、除湿ローター１１の吸湿部１３は吸熱器８と排気口２の間の風路に、放湿部１２は放熱器６と吸熱器８の間の風路に、放熱器６と放湿部１２の間に加熱手段１５を設け、除湿ローター１１と吸熱器８の間の風路に２本の仕切り部１４を設け、仕切り部１４は上流側仕切り部１７と、下流側仕切り部１８とから構成され、下流側仕切り部１８は除湿ローター１１中心部より除湿ローター１１の回転方向の下流側への下がる方向に傾斜させたものである。【選択図】図１
2010125381.tif 000002
【特許請求の範囲】
【請求項１】
吸気口と排気口を有する本体ケースと、この本体ケース内に設けられた冷凍サイクルを備え、この冷凍サイクルは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口の間の風路に設け、前記放湿部は前記放熱器と前記吸熱器の間の風路に設け、前記放熱器と前記放湿部の間に加熱手段を設けた構成とし、前記除湿ローターと前記吸熱器の間の風路に２本の仕切り部を設け、この仕切り部は前記放湿部から前記吸熱器への風路と前記吸熱器から前記吸湿部への風路とを仕切り、前記仕切り部は、前記除湿ローターの前記放湿部での回転方向の上流側に位置した上流側仕切り部と、前記除湿ローターの前記放湿部での回転方向の下流側に位置した下流側仕切り部とから構成され、前記下流側仕切り部は前記除湿ローター中心部より除湿ローターの回転方向の下流側へ下がる方向に傾斜させた除湿装置。
【請求項２】
下流側仕切り部は断面形状が略コの字形である略コの字形仕切り部の上面部が下面部より短くした請求項１記載の除湿装置。
【請求項３】
加熱手段は前記下流側仕切り部寄りに設けた請求項１〜２のいずれかに記載の除湿装置。
【請求項４】
上流側仕切り部は前記除湿ローター中心部に下がる方向に傾斜した請求項３記載の除湿装置。
【請求項５】
除湿ローターの中心部に前記上流側仕切り部と前記下流側仕切り部とを繋いだ受け板部を設けた請求項１〜４のいずれかに記載の除湿装置。
【請求項６】
仕切り部は、断面形状がコの字形状であるコの字形仕切り部と、このコの字形仕切り部の上面部の端部から除湿ローター側に上がる方向に傾斜した傾斜仕切り部とから形成された請求項３〜５のいずれかに記載の除湿装置。
【請求項７】
仕切り部は、傾斜仕切り部の端面の断面形状が略半円形状である請求項６記載の除湿装置。
【請求項８】
仕切り部は、前記傾斜仕切り部の上部端面から垂直上方向にのびた垂直仕切り部を備えた請求項６記載の除湿装置。
【請求項９】
仕切り部は、断面形状が上部より下部が長い略コの字形である略コの字形仕切り部と、この略コの字形仕切り部の内部に固定可能な断面形状が略Ｖ字形状であるＶ字形仕切り部とから形成され、このＶ字形仕切り部は前記吸熱器と非接触である請求項３〜５のいずれかに記載の除湿装置。
【請求項１０】
仕切り部のＶ字形仕切り部の材質は金属である請求項９記載の除湿装置。
【発明の詳細な説明】
【技術分野】
【０００１】
本発明は、圧縮機を活用した除湿装置に関する。
【背景技術】
【０００２】
従来のこの種の除湿装置の構成は以下のようになっていた。
【０００３】
すなわち、吸気口と排気口を有する本体ケースと、この本体ケース内に設けられた冷凍サイクルとを備え、この冷凍サイクルは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けた構成となっていた。（例えば、これに類似する先行文献は下記特許文献１に記載されている）。
【０００４】
近年、さらに除湿能力の高い除湿装置が求められ、冷凍サイクルに除湿ローターを組み合わせて除湿能力を高めた除湿装置が開発された。
【０００５】
すなわち、上記送風手段の風路であって、放熱器と吸熱器の間には除湿ローターを、また、この除湿ローターと放熱器の間には加熱器を設け、まず、吸熱器部分で結露、除湿回収できなかった湿気をこの除湿ローターで吸湿する。次に、この除湿ローターへ放熱器および加熱器によって加熱された空気を送風し、その空気に湿気を放湿させ、再度吸熱器へ送風することにより結露させ除湿することによって除湿能力を高めようとする構成とするものである。（例えば、これに類似する先行文献は下記特許文献２に記載されている）。
【特許文献１】特開平６−３３１１６７号公報
【特許文献２】特開２００６−１０２５７８号公報
【発明の開示】
【発明が解決しようとする課題】
【０００６】
上記従来例における課題は、除湿能力が低下するということであった。
【０００７】
すなわち、従来の物においては、まず、室内の空気を放熱器および加熱器によって加熱し、除湿ローターへ送風し、その空気に湿気を放湿させる。次に、その湿気を含んだ空気を吸熱器へ送風し、吸熱器で結露させることにより除湿するものである。
【０００８】
そこで、吸熱器で結露させた水は吸熱器を伝って、吸熱器の下部に設けられたドレン受けに流れ込むようになっていた。
【０００９】
しかし、吸熱器で結露させた水が凍結し氷になる場合があり、その場合には、吸熱器と除湿ローターとの間である風路を仕切る仕切り部と除湿ローターの間に除湿ローターが回転することにより氷が入り込み、除湿ローターの表面を傷つけたり変形させることにより、除湿ローターの開口が塞がった状態となることがあった。つまり、除湿ローターの開口が塞がることにより、除湿ローターを通過する風量が低下し、除湿能力が低下するということが問題となっていた。
【００１０】
そこで本発明は、除湿能力の低下を抑制することを目的とするものである。
【課題を解決するための手段】
【００１１】
そしてこの目的を達成するために本発明は、吸気口と排気口を有する本体ケースと、この本体ケース内に設けられた冷凍サイクルを備え、この冷凍サイクルは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口の間の風路に設け、前記放湿部は前記放熱器と前記吸熱器の間の風路に設け、前記放熱器と前記放湿部の間に加熱手段を設けた構成とし、前記除湿ローターと前記吸熱器の間の風路に２本の仕切り部を設け、この仕切り部は前記放湿部から前記吸熱器への風路と前記吸熱器から前記吸湿部への風路とを仕切り、前記仕切り部は、前記除湿ローターの前記放湿部での回転方向の上流側に位置した上流側仕切り部と、前記除湿ローターの前記放湿部での回転方向の下流側に位置した下流側仕切り部とから構成され、前記下流側仕切り部は前記除湿ローター中心部より除湿ローターの回転方向の下流側へ下がる方向に傾斜させた構成にしたものであり、これにより、初期の目的を達成するものである。
【発明の効果】
【００１２】
以上のように本発明は、吸気口と排気口を有する本体ケースと、この本体ケース内に設けられた冷凍サイクルを備え、この冷凍サイクルは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口の間の風路に設け、前記放湿部は前記放熱器と前記吸熱器の間の風路に設け、前記放熱器と前記放湿部の間に加熱手段を設けた構成とし、前記除湿ローターと前記吸熱器の間の風路に２本の仕切り部を設け、この仕切り部は前記放湿部から前記吸熱器への風路と前記吸熱器から前記吸湿部への風路とを仕切り、前記仕切り部は、前記除湿ローターの前記放湿部での回転方向の上流側に位置した上流側仕切り部と、前記除湿ローターの前記放湿部での回転方向の下流側に位置した下流側仕切り部とから構成され、前記下流側仕切り部は前記除湿ローター中心部より除湿ローターの回転方向の下流側へ下がる方向に傾斜させた構成にしたものであり、除湿能力の低下を抑制することができるものである。
【００１３】
すなわち、放湿部から吸熱器への風路と、吸熱器から吸湿部への風路とを２本の仕切り部で仕切り、その仕切り部のうち除湿ローターの放湿部での回転方向の下流側に位置した下流側仕切り部は除湿ローター中心部より除湿ローターの回転方向の下流側へ下がる方向に傾斜させた構成にしているので、吸熱器で結露した水が凍結し氷となり、その氷が吸熱器から吸熱器と除湿ローターとの間の下流側仕切り部の上に落下しても、下流側仕切り部が除湿ローター中心部より除湿ローターの回転方向の下流側への下がる方向に傾斜しているので、除湿ローターに保持されないで下流側仕切り部に沿って滑り落ちることとなる。つまり、除湿ローター側に集まらず、下流側仕切り部と除湿ローターとの間に入り込まないので、結論として、除湿ローターの表面を傷つけたり変形させることにより、除湿ローターの開口が塞がった状態となることを防止できる。
【００１４】
これらの結果により、除湿ローターの開口が塞がることにより、除湿ローターを通過する風量が低下し、除湿能力が低下することを抑制することができるものである。
【発明を実施するための最良の形態】
【００１５】
以下、本実施形態を添付図面を用いて説明する。
【００１６】
（実施の形態１）
図１および図２に示すように、本実施形態の除湿装置は、吸気口１と排気口２を有する本体ケース３と、この本体ケース３内に冷凍サイクル４を備えている。この冷凍サイクル４は、圧縮機５、放熱器６、膨張手段７、吸熱器８とにより形成されている。
【００１７】
送風手段９によって、吸気口１から本体ケース３内に吸気した空気を放熱器６、吸熱器８を順次介して排気口２へと送風する。
【００１８】
放熱器６と吸熱器８の間には、ローターケース１０によって回動自在に配設された除湿ローター１１を設けている。この除湿ローター１１は円板体となっている。この円板体は、円形リング内に、通気体を設けたものである。また通気体は、二枚の帯体間にジグザグ状に帯体設けたものを、円形リング内において、内周から外周に向けて渦巻状に巻くことによって通気構造に構成したものである。そして、放湿部１２と吸湿部１３とからなり、吸湿部１３は吸熱器８と排気口２の間の風路に設け、放湿部１２は放熱器６と吸熱器８の間の風路に設けている。具体的には、除湿ローター１１と吸熱器８との間の風路にローターケース１０から延びた２本の仕切り部１４を設け、この仕切り部１４によって放湿部１２から吸熱器８への風路と、吸熱器８から吸湿部１３への風路とを仕切っているものである。また、放熱器６と放湿部１２の間には加熱手段１５であるヒーターを設けている。
【００１９】
以上の構成における除湿動作について説明する。送風手段９によって吸気口１から本体ケース３内に吸気した空気は、放熱器６で加熱された後にヒーターで更に加熱され、高温で相対湿度の低い空気となり、除湿ローター１１の放湿部１２へ送風される。
【００２０】
この放湿部１２に送風された空気は、放湿部１２の湿気を取り込み湿度の高い状態となって吸熱器８へ送られる。この吸熱器８で結露させて除湿し、吸湿部１３に達する。そこで、乾燥状態となった除湿ローター１１の放湿部１２が駆動手段１６によって回転し、吸湿部１３となり、この吸湿部１３で吸熱器８で除湿されなかった湿度を吸湿し除湿する。
【００２１】
本実施形態における特徴は、除湿ローター１１を回動自在に配設するローターケース１０の構造にある。このローターケース１０は除湿ローター１１と吸熱器８との間の風路に設けられたローターケース１０から延びた２本の仕切り部１４を備え、この２本の仕切り部１４は放湿部１２から吸熱器８への風路と、吸熱器８から吸湿部１３への風路とを仕切るものである。つまり、除湿ローター１１の放湿部１２での回転方向の上流側に位置した上流側仕切り部１７と、除湿ローター１１の放湿部１２での回転方向の下流側に位置した下流側仕切り部１８との２本の仕切り部１４から構成されている。そこで、下流側仕切り部１８は除湿ローター１１の中心部より除湿ローターの回転方向の下流側への下がる方向に傾斜したものである。
【００２２】
具体的には、ローターケース１０は平板形状で中央部に円形の孔を備え、その孔の円周縁には除湿ローター１１の方向に円筒形状の立ち上がり壁を備えている。その孔の円周縁から中央に向けて２本の仕切り部１４が延び、これら２本の仕切り部１４である上流側仕切り部１７と下流側仕切り部１８とを中央部で繋いだ円板形状の受け板部１９を設けている。この受け板部１９の中央には除湿ローター１１方向に延びた円筒形状の軸部を備え、この軸部に挿入された除湿ローター１１が回転自在に保持され、２本の仕切り部１４である上流側仕切り部１７と下流側仕切り部１８と近接しながら回転手段である電動機によって回転するものである。
【００２３】
そこで、下流側仕切り部１８は中央からローターケース１０の孔の円周縁に向けて除湿ローター１１の回転方向の下流側への下がる方向に傾斜して延び、上流側仕切り部１７はローターケース１０の孔の円周縁から中央に向けて除湿ローター１１の回転方向の下流側への下がる方向に傾斜して延び、断面形状が略コの字形で、その側面部が除湿ローター１１と近接し、その上面部２０が吸熱器８側に下がる方向に傾斜したものである。
【００２４】
これらの上流側仕切り部１７と下流側仕切り部１８とは下がる方向に傾斜しているが、上流側仕切り部１７の下がる方向の傾斜が下流側仕切り部１８の下がる方向の傾斜より、除湿ローター１１の回転方向の下流側へより大きく下がる方向に傾斜しているので、吸熱器８で結露した水が凍結し氷となり、その氷が吸熱器８から吸熱器８と除湿ローター１１との間の上流側仕切り部１７の上に落下しても、除湿ローター１１は上流側仕切り部１７に対して、下面部２２から上面部２０に向かって回転するので、上流側仕切り部１７の上面部２０の氷を除湿ローター１１と上流側仕切り部１７の側面部２１との間に入り込む方向とは逆方向となり、上流側仕切り部１７の側面部２１との間から出るように回転し、除湿ローター１１と上流側仕切り部１７の側面部２１との間に入り込み難いうえに、上流側仕切り部１７が除湿ローター１１の回転方向の下流側へより大きく下がる方向に傾斜しているので、上流側仕切り部１７から下流側仕切り部１８に転がり落ちる。
【００２５】
結論として、上流側仕切り部１７と除湿ローター１１との間に入り込まないので、除湿ローターの表面を傷つけたり変形させることにより、除湿ローターの開口が塞がった状態となることを防止できる。
【００２６】
また、図３から図５に示すように、下流側仕切り部１８は断面形状が略コの字形である略コの字形仕切り部の上面部２０が下面部２２より短くしたものである。すなわち、下流側仕切り部１８はローターケース１０の孔の円周縁から中央に向けて除湿ローター１１の回転方向の下流側への下がる方向に傾斜して延び、断面形状が略コの字形状で、断面形状が略コの字形状で、略コの字形仕切り部の上面部２０が下面部２２より短くした形状で、その側面部２１が除湿ローターと近接したものである。
【００２７】
このような構成で、除湿動作を行なうと、吸熱器８で結露した水が凍結し氷となり、その氷が吸熱器８から吸熱器８と除湿ローター１１との間の下流側仕切り部１８の上面部２０に落下しても、下流側仕切り部１８の上面部２０が無いので、下面部２２の吸熱器８側に集まることとなる。つまり、除湿ローター１１は下流側仕切り部１８に対して、上面部２０から下面部２２に向かって回転するので、下流側仕切り部１８の上面部２０の除湿ローター１１側の氷を除湿ローター１１と下流側仕切り部１８の側面部２１との間に入り込むように回転するが、結論として、下流側仕切り部１８の上面部２０が短く、下面部２２と側面部２１とが氷を確保でき、かつ除湿ローター１１側に溜まらないような空間が出来て除湿ローター１１側に集まらず、下流側仕切り部１８と除湿ローター１１との間に入り込まないので、除湿ローター１１の表面を傷つけたり変形させることにより、除湿ローター１１の開口が塞がった状態となることを防止できる。
【００２８】
これらの結果により、除湿ローター１１の開口が塞がることにより、除湿ローター１１を通過する風量が低下し、除湿能力が低下することを抑制することができるものである。
【００２９】
また、図６に示すように、加熱手段１５は下流側仕切り部１８寄りに設けたものである。これにより上流側仕切り部１７の上面部２０の氷を溶かすことが出来るので、上流側仕切り部１７の上面部２０の氷を溶かすことにより、新たな氷が下流側仕切り部１８の吸熱器８側にすでにある氷と除湿ローター１１との間に集まることを抑制できる。結果として、上流側仕切り部１７と除湿ローター１１との間に入り込まないので、除湿ローター１１の表面を傷つけたり変形させることにより、除湿ローター１１の開口が塞がった状態となることを防止できる。
【００３０】
また、図２に示すように、上流側仕切り部１７は吸熱器８側に下がる方向に傾斜したものである。これにより上流側仕切り部１７はローターケース１０の孔の円周縁から中央に向けて除湿ローター１１の回転方向の下流側への下がる方向に傾斜して延び、断面形状が略コの字形状で、その側面部２１が除湿ローター１１と近接し、その上面部２０が吸熱器８側に下がる方向に傾斜したものである。
【００３１】
このような構成で、除湿動作を行なうと、吸熱器８で結露した水が凍結し氷となり、その氷が吸熱器８から吸熱器８と除湿ローター１１との間の上流側仕切り部１７の上に落下しても、上流側仕切り部１７の上面部２０が吸熱器８側に下がる方向に傾斜しているので、吸熱器８側に集まることとなる。つまり、除湿ローター１１側に集まらず、上流側仕切り部１７と除湿ローター１１との間に入り込まないので、除湿ローター１１の表面を傷つけたり変形させることにより、除湿ローター１１の開口が塞がった状態となることを防止できる。
【００３２】
また、図３に示すように、除湿ローター１１の中心部に上流側仕切り部１７と下流側仕切り部１８とを繋いだ受け板部１９を設けたものである。これにより、吸熱器８で結露した水が凍結し氷となり、その氷が吸熱器８から吸熱器８と除湿ローター１１との間の上流側仕切り部１７の上に落下しても、上流側仕切り部１７が除湿ローター１１の回転方向の下流側へより大きく下がる方向に傾斜しているので、上流側仕切り部１７から下流側仕切り部１８に転がり落ちる場合には、除湿ローターに当たることなく、除湿ローターの中心部の受け板部１９に当たるので、下流側仕切り部１８と除湿ローター１１との間に入り込まず、除湿ローター１１の表面を傷つけたり変形させることにより、除湿ローター１１の開口が塞がった状態となることを防止できる。
【００３３】
（実施の形態２）
実施の形態２は図７に示すように、実施の形態１に対し、仕切り部１４の断面形状が相違する。
【００３４】
仕切り部１４は、断面形状がコの字形状であるコの字形仕切り部２３と、このコの字形仕切り部の上面部の端部から除湿ローター側に上がる方向に傾斜した傾斜仕切り部２４とから形成されたものである。具体的には、仕切り部１４である上流側仕切り部１７と下流側仕切り部１８の断面形状がコの字形状であるコの字形仕切り部２３の側面部２１が除湿ローター１１と近接し、その上面部の端部から傾斜仕切り部２４が除湿ローター側に上がる方向に傾斜したものである。
【００３５】
これにより、吸熱器８で結露した水が凍結し氷となり、その氷が吸熱器８から吸熱器８と除湿ローター１１との間の上流側仕切り部１７と下流側仕切り部１８との上面部２０に落下しても、上面部２０が吸熱器８側に下がる方向に傾斜しているので、吸熱器８側に集まるともに、アンダーカットがなく金型による成型が容易な形状となる。
【００３６】
また、仕切り部１４は、傾斜仕切り部２４の端面の断面形状が略半円形状２８である。この傾斜仕切り部２４の端面は除湿ローター１１と近接するので、端面の断面形状を略半円形状２８にすることにより、除湿ローター１１の表面を傷つけたりすることを防止できる。
【００３７】
なお、図８に示すように、傾斜仕切り部２４の端面の断面形状が略半円形状２８にする代わりに、傾斜仕切り部２４の端面から垂直上方向にのびた垂直仕切り部２５を備えたものでも同様の効果が得られる。
【００３８】
（実施の形態３）
実施の形態３は図９に示すように、実施の形態１に対し、仕切り部１４の断面形状が相違する。
【００３９】
仕切り部１４は、断面形状が上部より下部が長い略コの字形であるコの字形仕切り部２３と、このコの字形仕切り部２３の内部に固定可能な断面形状が略Ｖ字形状であるＶ字形仕切り部２６とから形成され、このＶ字形仕切り部２６は吸熱器８と非接触である。具体的には、仕切り部１４である上流側仕切り部１７と下流側仕切り部１８の断面形状が略コの字形であり、側面部２１が除湿ローター１１と近接し、上面部２０より下面部２２が長いものである。このコの字形仕切り部２３の内部には、断面形状が略Ｖ字形状であるＶ字形仕切り部２６が吸熱器８側に下がる方向に傾斜して端部が固定されている。このＶ字形仕切り部２６は吸熱器８とは空間を有し非接触である。
【００４０】
これにより、吸熱器８で結露した水が凍結し氷となり、その氷が吸熱器８から吸熱器８と除湿ローター１１との間の上流側仕切り部１７と下流側仕切り部１８とのＶ字形仕切り部２６に落下しても、Ｖ字形仕切り部２６が吸熱器８側に下がる方向に傾斜しているので、吸熱器８側に集まるともに、別部品であるＶ字形仕切り部２６をコの字形仕切り部２３に固定することにより、アンダーカットがなくなり金型による成型が容易な形状となる。
【００４１】
また、仕切り部１４のＶ字形仕切り部２６の材質は金属である。これにより、Ｖ字形仕切り部２６に加熱手段１５の熱が伝わり易くなり、Ｖ字形仕切り部２６の上面部の氷を溶かすことが出来るので、Ｖ字形仕切り部２６の上面部の氷を溶かすことにより、新たな氷が下流側仕切り部１８の吸熱器８側にすでにある氷と除湿ローター１１との間に集まることを抑制できる。結果として、コの字形仕切り部２３と除湿ローター１１との間に入り込まないので、除湿ローター１１の表面を傷つけたり変形させることにより、除湿ローター１１の開口が塞がった状態となることを防止できる。
【産業上の利用可能性】
【００４２】
以上のように本発明は、吸気口と排気口を有する本体ケースと、この本体ケース内に設けられた冷凍サイクルを備え、この冷凍サイクルは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口の間の風路に設け、前記放湿部は前記放熱器と前記吸熱器の間の風路に設け、前記放熱器と前記放湿部の間に加熱手段を設けた構成とし、前記除湿ローターと前記吸熱器の間の風路に２本の仕切り部を設け、この仕切り部は前記放湿部から前記吸熱器への風路と前記吸熱器から前記吸湿部への風路とを仕切り、前記仕切り部は、前記除湿ローターの前記放湿部での回転方向の上流側に位置した上流側仕切り部と、前記除湿ローターの前記放湿部での回転方向の下流側に位置した下流側仕切り部とから構成され、前記下流側仕切り部は除湿ローター中心部より除湿ローターの回転方向の下流側への下がる方向に傾斜したものであり、除湿能力の低下を抑制することができるものである。
【００４３】
すなわち、放湿部から吸熱器への風路と、吸熱器から吸湿部への風路とを２本の仕切り部で仕切り、その仕切り部のうち除湿ローターの放湿部での回転方向の下流側に位置した下流側仕切り部が吸熱器側に下がる方向に傾斜しているので、吸熱器で結露した水が凍結し氷となり、その氷が吸熱器から吸熱器と除湿ローターとの間の下流側仕切り部の上に落下しても、下流側仕切り部が吸熱器側に下がる方向に傾斜しているので、吸熱器側に集まることとなる。つまり、除湿ローター側に集まらず、下流側仕切り部と除湿ローターとの間に入り込まないので、結論として、除湿ローターの表面を傷つけたり変形させることにより、除湿ローターの開口が塞がった状態となることを防止できる。
【００４４】
これらの結果により、除湿ローターの開口が塞がることにより、除湿ローターを通過する風量が低下し、除湿能力が低下することを抑制することができるものである。除湿が効果的に行われない状態での無駄な電力の消費を抑制し、更に安全性が高くなるものである。
【００４５】
従って、家庭用や事務所用などの、除湿装置として活用が期待されるものである。
【図面の簡単な説明】
【００４６】
【図１】本発明の実施の形態１の除湿装置の概略断面図
【図２】本発明の実施の形態１の除湿装置のローターケースの概略図
【図３】本発明の実施の形態１の除湿装置のローターケースの概略図
【図４】本発明の実施の形態１の除湿装置のローターケースの概略断面図
【図５】本発明の実施の形態１の除湿装置のローターケースの仕切り部の概略断面図
【図６】本発明の実施の形態１の除湿装置の除湿ローター部分の概略図
【図７】本発明の実施の形態２の除湿装置のローターケースの仕切り部の概略断面図
【図８】本発明の実施の形態２の除湿装置のローターケースの仕切り部の概略断面図
【図９】本発明の実施の形態３の除湿装置のローターケースの仕切り部の概略断面図
【符号の説明】
【００４７】
１    吸気口
２    排気口
３    本体ケース
４    冷凍サイクル
５    圧縮機
６    放熱器
７    膨張手段
８    吸熱器
９    送風手段
１０  ローターケース
１１  除湿ローター
１２  放湿部
１３  吸湿部
１４  仕切り部
１５  加熱手段
１６  駆動手段
１７  上流側仕切り部
１８  下流側仕切り部
１９  受け板部
２０  上面部
２１  側面部
２２  下面部
２３  コの字形仕切り部
２４  傾斜仕切り部
２５  垂直仕切り部
２６  Ｖ字形仕切り部
２８  略半円形状
【図１】
2010125381.tif 000003
【図２】
2010125381.tif 000004
【図３】
2010125381.tif 000005
【図４】
2010125381.tif 000006
【図５】
2010125381.tif 000007
【図６】
2010125381.tif 000008
【図７】
2010125381.tif 000009
【図８】
2010125381.tif 000010
【図９】
2010125381.tif 000011